(57)【要約】【課題】近年、安心安全がただでは得がたくなった。次第にご近所同士という連帯感が薄くなり、昨今では独居老人の孤独死など一ヶ月以上も経って、やっと発見されることが新聞紙上では珍しくなくなってきた。少子化と共に独居家庭は益々多くなり、若者の都会進出はこれらに拍車をかけ、建物は密閉型のマンションが普及し連帯感は益々薄くなり特にマンション生活者は隣の人とさえ会話の無いことが普通となり、ご近所同士の挨拶さえ疎遠になり始め、過っての大和魂は次第に薄れ安心安全はただでは得がたくなってきた。【解決手段】  本発明は、以上の課題を解決する一つの手段として、一般家庭においてその家庭の屋外の一定の箇所に、日常と変わらず生活しているといういわゆる元気の確認と異常時の確認が出来る電気的サイネージ設備を提供するものである。【選択図】図１
2010165328.tif 000002
【特許請求の範囲】
【請求項１】
手動又は自動スイッチであって、屋内外建具や電気製品の開閉動作を作動スイッチ元とする、タイマー時計付きオンオフの点滅サイネージ若しくは文字や画像又は音声によるデジタルサイネージを屋外に設けることにより、一定時間内に於ける屋内での異常を、屋外の他人が察知し消防署・役所・警察署などに緊急手配できるサイレン付き警報装置及び当該装置の電気回路からタイマー時計を外した並列の電気回路を持つデジタルサイネージ若しくは文字や画像又は音声によるデジタルサイネージ並びに当該装置を利用したネットワークシステム。
【請求項２】
家族間の異常や異常火気・異常煙霧・漏電・ボヤ・ガス漏れ・異常気象など家屋内外での異変並びに家屋周辺を徘徊する不審人物など危険を感じた時、瞬時に屋外に表示することを可能とした屋内操作型スイッチによる表示機能を装備した点滅サイネージ若しくは文字や画像又は音声によるデジタルサイネージ。
【請求項３】
請求項２に記載の点滅サイネージ若しくは文字や画像又は音声によるデジタルサイネージにおいて、外部の人の気付きに元づいた屋外操作型スイッチによる表示機能を装備した請求項２に記載の点滅サイネージ若しくは文字や画像又は音声によるデジタルサイネージ。
【請求項４】
携帯電話や電話、パソコン又はデスクトップ或いはインターネットのソフトに設定された非常時や危機管理用のサインタッチと連動して作動する請求項１及び請求項２並びに請求項３に記載の点滅サイネージ若しくは文字や画像又は音声によるデジタルサイネージ及び連動して発動する消防署や役所や警察署などの関係機関に直接連絡する手動若しくは自動の緊急連絡通信機器装置。
【請求項５】
請求項１及び請求項２並びに請求項３に記載の点滅サイネージ若しくは文字や画像又は音声によるデジタルサイネージに連動して作動標示する町内のバス停・消火栓・電柱その他道路脇に建つポール類や建造物等に設けられた当該自治会用のデジタルサイネージ、並びにそれらの情報に元づき警察署などに通報する町内防犯ネットワークシステム。
【請求項６】
広告掲載機能並びに監視カメラを装備しＳＮＳ所謂ソーシャルネッワーキングサービスと連動する請求項１及び請求項２並びに請求項３に記載の点滅サイネージ若しくは文字や画像又は音声によるデジタルサイネージ。
【請求項７】
周辺一定距離内において作動する温熱感知センサー連動カメラや夜間の挙動不振人物や密入国者などの感知記録装置付きカメラ或いはビデオ若しくはこれ等に類する画像の自動録画装置を具備した請求項１及び請求項２並びに請求項３に記載の各種デジタルサイネージ。
【請求項８】
表示部が強化ガラスや透明度のある強化合成樹脂材料によって補強され、且つ防水機能を持つ請求項１及び請求項２並びに請求項３に記載の各種デジタルサイネージ。
【請求項９】
請求項１及び請求項２並びに請求項３に記載の各種サイネージと連動して作動する各町内或は各自治会の会館や町内ゴミステーションに設置されたデジタルサイネージ。
【発明の詳細な説明】
【技術分野】
【０００１】国道などでは道路管理者による黄色の点滅標示をするパトロールカーが定期的に走り道路点検や事故或いは災害の復旧や保全に勤めている。又一般家庭においての防犯や緊急の災害や災難の場合、通常の電話や携帯電話などを利用した通信網に頼ることが多い。或いはガードマン会社との契約により緊急通報システムなどを作動させる機構がある。しかし幼児やお年寄りの場合これ等の通信手段を使えない場合も有り、特に独居家庭で親族が近くに居ない場合連絡してもすぐには間に合わないし、脳卒中や疾病など肢体不自由の場合は、異常であることの連絡さえ出来ない可能性があり、これ等の事象は今後益々多くなることが予想される。安心安全な家庭環境を維持する為には少子化の今日、先ずはかっての日本のようにエネルギーコストが最も安い、隣組のような確かで且つ技術的に整備された連絡網を築く必要がある。
【背景技術】
【０００２】昔は部落によっては隣保館などがあり或いはご近所同士の助け合いなどがあり、一寸留守をするときなどは隣に頼んで出かけることなど日常茶飯事であった。今でも地方に行けばその習慣はそのまま残存しているが、日頃の生活習慣が都会化するほどこれ等古来の習慣はなくなり、次第にご近所同士という連帯感が薄くなり、昨今では独居老人の孤独死など一ヶ月以上も経ってやっと発見されることが新聞紙上では珍しくなくなってきた。少子化と共に独居家庭は益々多くなり、若者の都会進出はこれらに拍車をかけ、建物はより密閉型のマンションが普及し連帯感は薄くなり特にマンション生活者は隣の人とさえ会話の無いことが普通となり、ご近所同士の挨拶さえ疎遠になり始めた。その上最近では振り込め詐欺も、電話詐欺から進化し自宅に押しかける詐欺事件までも起こっている。又宅配便を装った殺人事件・郵便局の書留便やこれ等の職員の制服姿で家屋内に強引に入り込む可能性も十分考えられ、これ等に対応している留守を預かる者は通常女性など弱者の場合が多く、一旦玄関内に入り込まれると密室に近い状態となり非常に危険性が増す。ガードマン会社との契約も有効ではあるが一秒を争うような緊急な場合、精神の動揺も有り、直ちに役立つとは限らない。このような時、スイッチに触るだけで屋外のサイレン付きパトライトが点滅すると、かなり役立つ可能性がある。昔のご近所感覚が次第に薄れ、安心安全はただでは得がたくなってきた今日、本発明はこれ等小家族や留守家族の安心安全度を機械的に少しでも高めようとするものである。特許分野でも特開２００６−５０１４４３等があるものの本件は車両とナビの関係で有り本件発明と思想を根本的に異とするものである。【０００３】
【特許文献１】特開２００６−５０１４４３号
【発明の開示】
【発明が解決しようとする課題】
【０００４】家族単位の少子化と共に共働きが多くなり、昼間の留守家庭が増えた上、日常の習慣が都会化するほどご近所の近親間はなくなり、次第にお隣さんという連帯感は薄くなる。或いは社会人となり住み慣れた古里を離れ、都会に就職しても一旦離職するとかっての古里には帰りづらくなり都会で孤立した流浪民となる昨今、田舎においても家庭の少子化は加速度的に増している。
少子化と共に独居家庭は益々多くなり、勤労機会の少ない田舎では若者の都会進出はこれら少子化に拍車をかけ、ご近所同士の挨拶など逆に敬遠され始め、人間関係はより疎遠になり始めた。過っての大和魂は次第に薄れ安心安全はただでは得がたくなってきた今日、本発明はこれ等小家族や留守家族の安心安全度を機械的に少しでも高めようとするものである。【０００５】その解決策として通常、屋内で最も頻繁に利用する建具類例えばトイレなどのドア、この場合のドアは開閉式でもスライド式でもいずれの方式のドアでも良いし、障子でもフスマでも構わないが、要は家族が最も頻繁に利用する建具を選別し、そのドアの開閉可動部に屋外の点滅装置並びにタイマー時計用電気回路のスタータースイッチの取り付けが可能であればよい。またドアの開閉スイッチの規定時間内無作動により、屋内の異常を外部に告知する屋外の点滅装置例えばパトライトなどの取り付け位置については、玄関先でも家屋を取り囲む塀の上でも良いが要は外部から見え外部に異常を告知できる箇所が好ましい。又電気回路のスタータースイッチの取り付け箇所は建具以外に頻繁に利用する電気製品のドアや、玄関での靴履き替え用の踏み台の下等にセットしても良い。尚電源は家庭の１００Ｖ電源でも電池式でも良い。
【課題を解決するための手段】
【０００６】本発明は、かかる問題点に鑑みてなされたもので、その目的は先ず屋内で通常、最も頻繁に利用する建具や可動物もしくはドアを選び、そのドアには電気回路のスタータースイッチ付を取り付け、そのドアの開閉の都度、電源がＯＮする様にセットし、その電源回路には２４時間タイマー時計を組み込む。次にドアの開閉によりタイマー時計の電源がＯＮする度にタイマー時計は最初の０から再スタートする。次にタイマー時計のスイッチのセットされたドアの開閉が全く無い０回の場合にはそのタイマー時計が一定時間進み、例えば１２時間を過ぎるとタイマー時計が作動し電源回路が接続され、回路に組みこまれた屋外の点滅告知装置例えばパトライトなどの点滅により、ご近所や、屋外の他人に異常の告知若しくは察知してもらうことが可能となる。例えば頻繁に使用するトイレドアに、あらかじめ回路にタイマー時計の組み込まれたドアスイッチをセットし、例えば夜中の１２時頃寝る人の場合で、朝６時起床習慣の人でも余裕をみて８時間タイマーの起床ベルとした場合、就寝中の事故で起床できない場合朝８時で屋外のパトライトが異常を告げることになる。異常が無い場合パトライトのタイマー回路のスイッチを、毎朝外灯を消すように遮断すれば良い。遮断するとタイマー時計は又ゼロから再びスタートする。又複数の家で点滅告知装置を共用する場合、電気回路はそれぞれの家庭別に配線しパトライトのみご近所同志共用でも良い。このように本装置は少子化でもご近所同士の絆を高め、共働きなどによる留守家庭を補い助け合い、安心安全な環境創りの技術を提供するものである。【０００７】これ等の本発明装置の普及により本件装置設置者の関係する町内会や自治会或いは交番など、その地区での安心安全の連携が出来る箇所、例えば地域ＳＮＳや公民館や自治会館や公的出張所などと連携することにより各自治体はもとより、各県或いは全国レベルのネットワークインフォメーションシステムも可能となる。
【発明の効果】
【０００８】本発明により、一人家族や独居老人の事故や異常を、ご近所でもいち早く気付くことが可能となり、自治会長も様子確認の為わざわざ尋ねて行かなくても、或いは逆に異常の場合には素早い対応が可能となる。又屋内で倒れた場合でも、或いは詐欺事件や押し売りなど身に危険を感じる場合でも、或いは火の不始末による火災初期時の気が動転した時でも本発明の屋外点滅告知装置の回路に組み込んだ屋内操作用スイッチのワンタッチで屋外の他人に告知することが可能となり、自治会長や町内会長も活動し易くなり、過っての隣組の効果もでる。予算が許せば本件装置に監視カメラを組み込めば安心安全度をより高めることが出来る。
【実施例１】
【０００９】実施例によって本発明を説明する。たとえば図１で示すように屋敷を囲む塀上に異常点滅告知装置例えばパトライト３を設置し、同パトライトの電源回路に屋内で通常、最も頻繁に開閉する建具もしくはドア６を選び、そのドアにはスイッチ付きの電気回路を設け、そのドアの開閉の都度、電源がＯＦ・ＯＮする様にセットし、その電源回路には２４時間タイマー時計７を組み込む。次にドアの開閉によりタイマー時計７の電気回路がＯＦ・ＯＮする度に、タイマー時計は０時に戻り最初から再スタートする。次にタイマー時計７のスイッチのセットされたドア６の開閉が、全く無い場合にはそのタイマー時計が一定時間進み、例えば１２時間を過ぎるとタイマー時計が作動し電源回路が接続され、回路に組みこまれた屋外の点滅装置、例えばパトライト３などの点滅により異常告知が可能となる。特にご近所の人や、屋外の他人に異常を知らせることが可能となる。あらかじめ本件装置の設置を隣組やご近所の親しい人と情報を交換し合っておれば、或いは通行人でも緊急対応や緊急通報が可能となる。例えばいつも夜２２時頃に就寝し、翌朝は６時に起床する家庭の場合タイマー時計を、２時間余裕を持って１０時間後の朝８時にセットすれば翌朝、予定通りの６時の起床ならばタイマー時計７の回路スイッチを切ればよいし、異常があって８時でも起床できない場合８時で屋外のパトライトが点滅し異常を自動的に告知する。長期の留守期間や、異常が無い場合パトライトのタイマー回路の主電源スイッチ１３で遮断し、必要時ＯＮすれば良い。又屋内での異常や非常時、緊急に電話など以外で屋外周辺に告知したい場合は非常時回線１１の緊急用スイッチ１０を押せばよい。最近特に世情が不安定化し大規模自然災害や通り魔による殺傷事件や凶悪犯罪が多発し、安心安全が脅かされている今日、先ずは最小の単位である家庭内から安心安全のシステムを構築する必要がある。
【産業上の利用可能性】
【００１０】この頃、社会全般に不安が蔓延し安心安全が脅かされてきており、かといって警備の専門会社に一般家庭が警備を依頼するほどのゆとりも無い世知辛い今日、安い経費で安心安全を図る手段・自衛する手段として、今後大いに利用され普及する可能性が大である。
【図面の簡単な説明】
【００１１】
【図１】家屋周辺の塀の上に点滅式警報装置を取り付け屋内のトイレのドアに取り付けたスイッチを組み込んだ配線回路を接続した概要図である。
【図２】本発明の開閉式ドアスイッチ上面図の一例である。
【図３】本発明のスライド式ドアにスイッチを取り付けた例である。
【図４】本発明の手動スイッチによる場合の配線図例である。
【符号の説明】
【００１２】      １  家屋
２  塀
３  点滅式告知装置（パトライト）
４  開閉式ドアのスタータースイッチ例
５  スライド式ドアのスタータースイッチ
６  スライドドア
７  タイマー時計
８  壁
９  電源（電池）
１０  非常用手動スイッチ
１１  非常時用配線ライン
１２  タイマー時計配線ライン
１３  主電源スイッチ
【図１】
2010165328.tif 000003
【図２】
2010165328.tif 000004
【図３】
2010165328.tif 000005
【図４】
2010165328.tif 000006